(57)【要約】  本発明の実施の形態は、商品を陳列し、保護するシステム、デバイス、及び方法に関する。１つの例では、商品セキュリティシステムは複数のセキュリティデバイスを含み、該セキュリティデバイスの各々は、商品に取り付けられるように構成されたセンサを備える。システムは、商品からデータを取得するために商品の各々と通信するように構成された少なくとも１つのコントローラも備える。コントローラ及び／又はセキュリティデバイスの各々は、商品からセンサを取り外すのに応答してセキュリティ信号を生成するように構成される。【選択図】図１
2018511107.tif 000002
【特許請求の範囲】
【請求項１】
商品セキュリティシステムであって、
商品に取り付けられるように構成されたセンサをそれぞれ有する複数のセキュリティデバイスと、
前記商品からデータを取得するために、該商品の各々と通信するように構成された少なくとも１つのコントローラと、
を備え、
前記コントローラ、及び／又は前記セキュリティデバイスの各々は、前記商品から前記センサを取り外すのに応答してセキュリティ信号を生成するように構成される、商品セキュリティシステム。
【請求項２】
前記データは、前記商品のタイプ及び／又は電力要件を含む、請求項１に記載の商品セキュリティシステム。
【請求項３】
前記センサの各々は、該センサに取り付けられたそれぞれの商品からデータを転送するように構成される、請求項１に記載の商品セキュリティシステム。
【請求項４】
前記少なくとも１つのコントローラは、前記データを取得するために前記センサの各々と通信するように構成される、請求項３に記載の商品セキュリティシステム。
【請求項５】
前記少なくとも１つのコントローラは、前記セキュリティデバイスの各々に電力を提供するように構成される、請求項１に記載の商品セキュリティシステム。
【請求項６】
前記少なくとも１つのコントローラ、及び／又は各センサは、該センサから前記商品を取り外すのに応答して、可聴信号及び／又は視覚信号を生成するアラーム通知回路部を備える、請求項１に記載の商品セキュリティシステム。
【請求項７】
前記センサ及び該センサ上の前記商品を取り外し可能に支持するための基部を更に備える、請求項１に記載の商品セキュリティシステム。
【請求項８】
前記セキュリティデバイスの各々は、前記センサ及び前記基部を電気的に接続するテザーを更に備え、各テザーは電力信号、検知信号、及びデータ信号を送信するように構成される、請求項７に記載の商品セキュリティシステム。
【請求項９】
前記セキュリティデバイスの各々は、前記センサ及び前記商品を電気的に接続するアダプタケーブルを更に備え、各アダプタケーブルは、電力信号、検知信号、及びデータ信号を送信するように構成される、請求項８に記載の商品セキュリティシステム。
【請求項１０】
複数のコントローラを更に備え、各コントローラはそれぞれの基部と一体化される、請求項７に記載の商品セキュリティシステム。
【請求項１１】
前記少なくとも１つのコントローラは、リモートデバイスと無線で通信し、前記商品から取得された前記データを提供するように構成される、請求項１に記載の商品セキュリティシステム。
【請求項１２】
少なくとも第１のコントローラ及び第２のコントローラを更に含み、前記第１のコントローラは、前記セキュリティデバイスのうちの少なくとも１つと通信するように構成され、前記第２のコントローラは、前記商品のうちの少なくとも１つと通信するように構成される、請求項１に記載の商品セキュリティシステム。
【請求項１３】
前記少なくとも１つのコントローラは、前記商品からデータを取得するために、該商品の各々のメモリと通信するように構成される、請求項１に記載の商品セキュリティシステム。
【請求項１４】
商品セキュリティデバイスであって、
商品に取り付けられるように構成されたセンサを有するセキュリティデバイスと、
前記セキュリティデバイスと通信するコントローラと、
を備え、前記コントローラは、前記商品からデータを取得するために、該商品のメモリと通信するように構成される、商品セキュリティデバイス。
【請求項１５】
商品を陳列し保護する方法であって、
商品に取り付けられるように構成されたセンサをそれぞれ有する複数のセキュリティデバイスと通信するステップと、
前記商品の各々からデータを取得するステップと、
前記商品から前記センサを取り外すのに応答してセキュリティ信号を生成するステップと、
を含む、方法。
【請求項１６】
無線ネットワークを介して前記データを提供するステップを更に含む、請求項１５に記載の方法。
【請求項１７】
取得するステップは、前記商品の各々のタイプ又は電力要件を取得することを含む、請求項１５に記載の方法。
【請求項１８】
リモートデバイスと無線通信して、前記商品から取得された前記データを提供するステップを更に含む、請求項１５に記載の方法。
【請求項１９】
取得するステップは、前記商品の各々におけるそれぞれのサブフォルダに記憶されたデータを取得することを含む、請求項１５に記載の方法。
【請求項２０】
取得するステップは、前記商品の各々のメモリからデータを取得することを含む、請求項１５に記載の方法。
【請求項２１】
商品セキュリティシステムであって、
メモリを含む商品と、
盗難を防ぐために、前記商品と通信するセキュリティデバイスであって、コントローラを有するセキュリティデバイスと、
を備え、
前記コントローラは、前記商品からデータを取得するために、前記商品の前記メモリと通信するように構成される、商品セキュリティシステム。
【発明の詳細な説明】
【技術分野】
【０００１】
（関連出願の相互参照）
本出願は、２０１５年２月１２日に出願された米国仮特許出願第６２／１１５，３０３号の優先権を主張する。この米国仮特許出願の内容は、参照することによりその全体が本明細書の一部をなすものとする。
【０００２】
本発明の実施の形態は、包括的には、商品陳列システム及び方法に関し、特に、陳列されている商品からデータを得るシステム及び方法に関する。
【背景技術】
【０００３】
小売店は、日常的に、電話、ポータブルコンピュータ（例えば、ノートブック、ラップトップ、タブレット等）、電子リーダ、メディアプレーヤ等の商品を、消費者が購入前に評価するために陳列する。これらの商品は、技術及び材料の進歩により、より小型に、かつより軽量になり続けている。結果として、そのような商品は、ますます脆弱で盗難されやすいものとなっている。同時に、そのような商品の小売価格及び利益幅は下がり続けている。したがって、これらの商品は、効果的にかつコスト効率良く商品を盗難から防ぐセキュリティデバイスによって保護される必要がある。
【発明の概要】
【０００４】
本発明の実施の形態は、商品セキュリティシステム及び方法に関する。１つの実施形態によれば、商品セキュリティシステムは複数のセキュリティデバイスを備え、これらのセキュリティデバイスの各々が、商品に取り付けられるように構成されたセンサを備える。セキュリティシステムは、商品からデータを取得するために、これらの商品の各々と通信するように構成された少なくとも１つのコントローラも備える。コントローラ及び／又はセキュリティデバイスの各々は、商品からセンサを取り外すのに応答してセキュリティ信号を生成するように構成される。
【０００５】
別の実施の形態では、商品セキュリティデバイスは、商品に取り付けられるように構成されたセンサを備えるセキュリティデバイスと、このセキュリティデバイスと通信するコントローラとを備える。コントローラは、商品からデータを取得するために、商品のメモリと通信するように構成される。
【０００６】
１つの実施の形態によれば、商品を陳列し、保護する方法が提供される。本方法は、複数のセキュリティデバイスと通信することを含み、これらのセキュリティデバイスの各々が商品に取り付けられるように構成されたセンサを備える。本方法はまた、商品の各々からデータを取得することと、商品からセンサを取り外すのに応答してセキュリティ信号を生成することと、を含む。
【０００７】
別の実施の形態では、商品セキュリティシステムは、メモリを含む商品と、盗難を防ぐために、商品と通信するセキュリティデバイスとを備える。セキュリティデバイスはコントローラを備え、コントローラは、商品からデータを取得するために、商品のメモリと通信するように構成される。
【図面の簡単な説明】
【０００８】
【図１】本発明の１つの実施形態による商品セキュリティシステムを示す図である。
【図２】本発明の別の実施形態による商品セキュリティシステムの概略図である。
【図３】別の実施形態による商品セキュリティシステムの概略図である。
【図４】図３に示すセンサの拡大図である。
【発明を実施するための形態】
【０００９】
ここで、本発明の様々な実施形態が示される添付の図面を参照して本発明の実施形態を以下でより完全に説明する。一方、本発明は、多くの異なる形態で実現することができ、本明細書に示される実施形態に限定されると解釈されるべきでない。むしろ、これらの実施形態は、本開示が詳細で完全なものとなるように提供され、当業者に対し本発明の範囲を完全に伝達する。類似の番号は全体を通じて類似の要素を指し、プライム表記及び多重プライム表記を用いて代替的な実施形態における類似の要素を示す。
【００１０】
商品「Ｍ」を陳列し、保護するシステムの１つ以上の実施形態が以下に説明され、示される。商品Ｍは、通常、顧客がアイテムを購入するという判断を行う前に吟味するための、携帯電話、スマートフォン、コンピュータ（例えば、ノートブック、ラップトップ、タブレット等）、電子リーダ、メディアプレーヤ等の電子商品の店頭見本又は動作サンプルである。商品Ｍは、通常、潜在的な窃盗犯から商品を保護しながら、見込み購買者が、商品の動作及び特徴を評価することを可能にするように陳列される。１つの実施形態では、センサを商品に取り付けて、そのセンサから商品が取り外される等の様々な警告状態を検出することができる。いくつかの実施形態では、セキュリティデバイスは、InVue Security Products Inc.社（例えば、シリーズ９５０、１０００及び２０００ＰＯＤ）によって製造されるＰＯＤに類似することができる。
【００１１】
図１は、商品Ｍを窃盗又は権限のない取り外しから保護する商品セキュリティシステム１０の一実施形態を示す。システム１０は、通常、１つ以上の陳列位置を含み、各陳列位置は、陳列カウンタ「ＤＣ」（例えば、カウンタ、棚、支持台等）の上に支持されるセキュリティデバイス４０を含む。セキュリティデバイス４０は、通常、センサ１２、テザー１４及び基部１６を含むことができるが、（例えば、テザーを省いた）他の構成も考えられ得る。センサ１２は、感圧粘着剤及び／又はブラケットアーム等により商品Ｍに固定されるように構成される。センサ１２は、コネクタ又は有線接続等により、テザー１４に電気的に接続される。テザー１４の一端は基部１６に電気的に接続することができ、テザーの他端はセンサ１２に電気的に接続することができる。テザー１４及び／又は基部１６は、以下で更に詳細に説明するように、コントローラ２０に電気的に接続されるか又は他の形でコントローラと電気的に通信することができる。いくつかの実施形態では、テザー１４はリコイラに接続され、テザーがリコイラに対し伸展すること及び引き込まれることが可能になる。そして、リコイラは、コントローラ２０に電気的に接続することができる。他の実施形態では、テザー１４は、弾性的に又は他の形で基部１６に対して伸展可能及び引き込み可能である。図１及び図２に４つのセキュリティデバイスが示されているが、コントローラ２０は、１つ以上を含む任意の数のセキュリティデバイスと通信するように構成することができることが理解される。さらに、いくつかの実施形態では、１つ以上のコントローラ２０を用いることができる。いくつかの実施形態では、コントローラ２０及びセキュリティデバイス４０は互いに独立しており、それによって、コントローラはセキュリティデバイスから離れて（例えば、陳列カウンタの下に）位置決めすることができる。
【００１２】
基部１６は、センサ及び商品Ｍが検査のために基部から取り外され、基部に戻されることができるように、この基部１６上のセンサ１２を取り外し可能に支持するように構成される。基部１６は、テザー１４が基部に対し伸展すること及び引き込まれることを可能にする、基部を通る開口部を画定することができる。テザーを付けられた実施形態が示されているが、基部１６及びセンサ１２が無線で通信する場合等、「テザーのない」実施形態も利用することができることが理解される。例えば、基部１６及びセンサ１２は、商品Ｍが基部に対し所定のロケーション又は距離内に維持されることを確実にするために、無線で通信するように構成することができる。他の実施形態では、商品Ｍは、センサ１２を商品に統合することができるように、基部１６上で直接取り外し可能に支持されるように構成することができる。無線技術の１つの例は、Systems and Methods for Protecting Retail Display Merchandise From Theftと題する米国特許第８，８７８，６７３号に開示されており、この米国特許の内容は、参照することによりその全体が本明細書の一部をなすものとする。
【００１３】
いくつかの実施形態では、センサ１２及び／又は基部１６は、可聴アラーム若しくは可聴信号及び／又は可視アラーム若しくは可視信号（例えば、図２を参照されたい）等のセキュリティ信号を生成するために、様々なセキュリティイベントが生じたか否かを判断するように構成されたアラーム通知回路部１８等を含むことができる。センサ１２及び／又は基部１６は、可聴アラーム又は可聴信号を生成するように構成されたアラーム２２（例えば、圧電デバイス）も含むことができる。いくつかの場合、センサ１２及び／又は基部１６は、アラーム通知回路部１８が装備されている及び／又はアラームを通知しているときに視覚信号を発するための視覚インジケータ（例えば、ＬＥＤ）を含むことができる。さらに、センサ１２及び／又は基部１６は、アラーム通知回路部１８を装備及び／又は装備解除するためのキーと通信するように構成された転送ポート２５（例えば、図１を参照）を含むことができる。１つの実施形態では、転送ポート２５は、キーがアラーム通知回路部１８を装備及び／又は装備解除する権限を有するか否かを判断するために、キーと無線通信するように構成される。いくつかの実施形態によれば、キーは、米国特許第７，７３７，８４５号に記載されているものに類似しており、この米国特許の内容は、参照することによりその全体が本明細書の一部をなすものとする。１つの実施形態によれば、センサ１２は、商品Ｍがセンサから取り外されたときにそれを検出するように構成される圧力スイッチ等を含むことができる。アラーム通知回路部１８は、商品Ｍの取り外し及び／又はテザー１４の切断を検出し、それに応答してセキュリティ信号（例えば、可聴アラーム及び／又は視覚アラーム）を生成するように構成することができる。
【００１４】
コントローラ２０は、個々にかつ集合的にセキュリティデバイス４０の各々との通信を容易にするように構成された、プロセッサ２４、ＣＰＵ等を含むことができる。例えば、いくつかの実施形態において、コントローラ２０は、デジタルインタフェースボックス（「ＤＩＢ」）又は電力インタフェースボックス（「ＰＩＢ」）とすることができる。コントローラ２０は、セキュリティデバイス４０及び／又は商品Ｍの各々から信号及びデータを送受信するように構成された通信回路部２６を含むことができる。コントローラ２０は、以下で更に詳細に説明されるように、セキュリティデバイス４０及び／又は商品Ｍの各々に関する様々なデータを記憶するためのメモリ２８も含むことができる。１つの実施形態では、コントローラ２０は、１つ以上の導体４２等の「有線」手段を介してセキュリティデバイス４０の各々に電気的に接続される。コントローラ２０は、導体４２を介して、セキュリティデバイス４０及び商品Ｍの各々に電力を送るように構成することができる。他の実施形態では、コントローラ２０及びセキュリティデバイス４０は、互いに無線で通信するように構成することができる。セキュリティデバイス４０に電力を提供するために、セキュリティデバイスは、電気コンタクト又は電磁誘導充電（inductive charging）技術等の無線電力供給機能を利用することができる。さらに、コントローラ２０は、セキュリティデバイス４０及び／又は商品Ｍの各々に提供される電圧を送信及び／又は調整するように構成することができる。例えば、コントローラ２０は、入力電源４６と電気的に通信することができ、セキュリティデバイス４０及び商品Ｍの各々に適切な電圧の電力を送信するように構成することができる。さらに、基部１６及びコントローラ２０は、いくつかの実施形態では別個のコンポーネントとすることができるが、基部及びコントローラは、他の実施形態において単一のコンポーネントとして統合することができることが理解される。例えば、コントローラ２０は、基部１６に収容することができ、各基部はそれぞれのコントローラを含むことができる。
【００１５】
いくつかの実施形態では、コントローラ２０は、商品Ｍからデータを取得するように構成される。例えば、データは、商品Ｍのメモリ内に記憶することができ、コントローラ２０は、記憶されたデータの少なくとも一部分を取得することができる。いくつかの場合、商品Ｍは、この商品Ｍの内部メモリからセンサ１２、コントローラ２０又は任意の他の所望のデバイスにデータを送信することができる。同じコントローラ２０が、セキュリティデバイス４０及び商品と通信することができるが、２つ以上のコントローラが用いられ、別個のコントローラがセキュリティデバイス及び商品と通信してもよいことが理解される。コントローラ２０は、商品から直接又は間接的にデータを得るように構成することができる。例えば、各センサ１２は、そのセンサに取り付けられたそれぞれの商品と通信し、データを取得し、その後、コントローラ２０にデータを通信するように構成することができる。他の実施形態では、コントローラ２０は、商品Ｍから直接データを受信することができる。いくつかの場合、データはセンサ１２に取り付けられた商品Ｍのタイプ（例えば、商品の製造者及びモデル）である。商品Ｍのタイプによって、コントローラ２０は、デバイスに電力を送信する前に商品の特定のタイプの電力要件を決定することを可能にすることができる。例えば、基部に対する特定の商品の「プル」又は「ピックアップ」の数、商品タイプ、商品の場所、商品の電力ステータス、小売店情報及び場所、セキュリティデバイスに対する電力損失の発生及び時点、キーＩＤ、キーとのインタラクションの数及び時点等の様々なタイプのデータ及び情報を商品から得ることができることが理解される。このため、コントローラ２０は、周期的に若しくはリアルタイムでデータを取得することができるか、又はユーザがリモートデバイス３０を用いてコントローラ２０と通信することによって特定の商品（複数の場合もある）Ｍに関する情報を要求することができる。商品とのインタラクションに応じて収集することができるデータタイプの追加の例は、例えば、Merchandise User Tracking System and Methodと題する米国特許出願第１３／８５６，６６４号において得ることができ、この米国特許出願の内容は、参照することによりその全体が本明細書の一部をなすものとする。
【００１６】
いくつかの有利な実施形態では、コントローラ２０は、従来のテザー１４を用いて商品Ｍからデータを得るように構成される。すなわち、コントローラ２０は、従来のテザー１４を通って延在する導体４２の数を増大させることなく商品Ｍからデータを取得することができる。例えば、テザー１４は、（例えば、商品Ｍに電力供給するための）電力４２Ａ、（例えば、セキュリティイベントを検出するための）検知４２Ｂ、及び（例えば、商品からデータを取得するための）データ４２Ｄ用の複数の導体を含むことができる。いくつかの実施形態では、コントローラ２０は「ホスト」として動作することができる一方で、センサ１２、基部１６及び／又は商品Ｍは「スレーブ」として動作する。この例において、コントローラ２０は、関連付けられた「スレーブ」デバイスのうちの任意のものからデータを取得することができる。１つの実施形態では、データはデュアルモードを用いて取得することができ、ここで、データはコントローラ２０を介して電力及び検知の提供間で取得することができる。例えば、データは周期的に取得することができ、電力及び／又は検知は、商品からデータを取得するために、所定の期間にわたって停止することができる。１つの実施形態では、コントローラ２０は、有線接続又は無線接続のいずれかにより商品Ｍに直接接続することができる。
【００１７】
別の実施形態では、アダプタケーブル又はコネクタ３２は、センサと商品との間で電力及び他の信号を送信するために、商品Ｍにセンサ１２を接続することができる。センサ１２及び／又はコントローラ２０は、アダプタケーブル３２が、商品Ｍに連結され、コントローラ２０に任意のデータを送信するときにそれを検出するように構成することができる。アダプタケーブル３２は、コントローラ２０を介した商品への電力転送を容易にすることもできる。１つの実施形態では、商品Ｍに電力が供給されていないとき、アダプタケーブル３２においてＬＥＤを分離することによって、コントローラ２０を用いてデータを取得することができる。ＬＥＤを用いて、商品のステータス（例えば、装備済み又は電力供給中）を示すことができる。例えば、電源が取り除かれると、ＬＥＤが照明することができ、データ線のうちの１つがＬＥＤに接続し、商品Ｍからデータを得ることを可能にする。
【００１８】
別の実施形態では、アダプタケーブル３２は、電力、検知及びデータ用の複数の導体４２を含むことができる。１つの非限定的な例では、５つの導体を用いることができる（電力４２Ａ、接地４２Ｃ及び検知４２Ｂ用に１つ、及びデータ４２Ｄ用に２つ）。基部１６とコントローラ２０との間に別のケーブル３４を設けることができ、このケーブルは、アダプタケーブル３２と同じ数の導体４２を含むことができる。代替的に、導体４２は、少なくとも部分的に、テザー１４内に設けることができる。センサ１２が基部１６上に載置されているとき、データは、アダプタケーブル３２及びケーブル３４におけるデータ導体４２Ｄを介して商品からコントローラ２０に提供することができる。いくつかの場合、アダプタケーブル３２及びケーブル３４は、センサ１２が基部１６から持ち上げられているとき、電気的に接続されていない場合がある。このため、センサ１２及び基部１６は、互いに係合する導体４４を含み、センサが基部上に載置されているときに、ケーブル３２、３４を電気的に接続することができる。この技法の例が図３及び図４に示されている。この例において、センサ１２は、ばねコンタクト又はポゴピン等の基部１６上の導体と係合する銅トレース等の導体４４を含む。導体４４間の電気接続は、ケーブル内のデータ導体４２Ｄを介して商品Ｍからコントローラ２０にデータを渡すことを可能にする。
【００１９】
いくつかの実施形態では、コントローラ２０は、小売店のラップトップ、タブレット、又は他の電子デバイス等のリモートデバイス３０と、クラウドネットワーク８０を通じて通信するように構成することができる。１つの例では、リモートデバイス３０は、１つ以上のコントローラ２０から受信した様々なデータを管理するための小売店の電子デバイスとすることができる。１つの特定の実施形態では、複数のコントローラ２０及び／又はセキュリティデバイス４０は、ネットワーク８０を介して１つ以上の小売店の電子デバイスと通信するように構成される。例えば、クラウドネットワーク８０は、小売業環境内の店員によって用いられる複数のタブレットデバイスとの通信を容易にすることができる。ネットワーク８０を通じた通信は無線で行うことができる。リモートデバイス３０及びコントローラ２０は、セルラネットワーク、Ｗｉ−Ｆｉ、無線周波数、Ｂｌｕｅｔｏｏｔｈ（登録商標）通信等の任意の所望の手段と通信することができることが理解される。コントローラ２０及び／又はリモートデバイス３０は、互いとのそのような通信を容易にするように構成された通信回路部又は送受信器を含むことができる。１つ以上のゲートウェイ及び／又はノードを用いて、コントローラ２０と小売店の電子デバイス（複数の場合もある）との間の通信を容易にすることができる。例えば、コントローラ２０とクラウドネットワーク８０との間のゲートウェイ（例えば、ルータ）は、小売店のゲートウェイとの通信を容易にするように構成することができ、小売店が、システム１０からのデータを提供及び受信することを可能にするように構成することができる。小売店は、例えば、プラノグラムコンプライアンス（planogram compliance）を確保すること、システム使用を追跡すること等、クラウドネットワーク８０を介して様々なコマンドを指示することを可能とすることができる。いくつかの実施形態では、そのようなコマンドは、コントローラ２０からデータを要求すること、１つ以上の商品Ｍの電力を上下させること、（特定の時点に又はアラーム通知イベント後に）１つ以上の商品の点呼を行うこと、アラーム通知しているセキュリティデバイス４０のロケーションを判断すること、特定のセキュリティデバイスを装備／装備解除／ロック／ロック解除した特定のキーを識別すること、商品を遠隔から有効又は無効にすること、商品を遠隔からロックすること、商品の電力ステータスをチェックすること、商品の使用を追跡すること、１つ以上の商品を（例えば、シリアル番号又は他のＩＤにより）追跡すること、権限を有するユーザに特定のキーを割り当てること、及び／又はアラーム通知しているセキュリティデバイスのロケーションを記録するようにカメラを向けることを含むことができる。したがって、小売店は、１つ以上のセキュリティデバイス４０に関する任意の数の特徴をより効果的に管理することを可能とすることができる。
【００２０】
別の実施形態では、商品Ｍは、メモリ内に、商品ＩＤ、基部ＩＤ、コントローラＩＤ等の様々な情報を記憶するように構成された「サブフォルダ」を含むことができる。コントローラ２０がハブ及び複数のポートを介して複数の商品Ｍに接続するように構成される例では、サブフォルダは、ハブ及びポートのロケーションに関する情報を記憶することができ、これを用いて、商品をそのロケーションと相関付けることができる。さらに、商品Ｍは、上記で論考したデータタイプ等の様々なデータをサブフォルダ内に記憶するように構成することができる。サブフォルダは、商品Ｍのソフトウェアアプリケーションを介して作成することができるか、又はコントローラ２０は、商品への接続時、及びサブフォルダが存在しないと検出したときに、サブフォルダを作成するように構成することができる。例えば、アダプタケーブル３２を（例えば、商品の入力ポートにおけるＵＳＢコネクタを介して）商品Ｍに接続することにより、サブフォルダの検出及び作成を開始することができる。他の実施形態では、サブフォルダは、商品ＭのＢＩＯＳレベルにおいて作成することができ、カスタムＲＯＭをインストールすることができる。
【００２１】
コントローラ２０は、商品Ｍに記憶されたサブフォルダからデータを得るように構成することができる。このようにして、関連付け（associate）を商品に直接記憶することができるため、商品Ｍ、センサ１２及び基部１６間の相関をより容易に求めることができる。商品Ｍが、特定のセンサ１２及び／又は基部１６と対にされるか又は他の形で関連付けられるいくつかの場合、コントローラ２０は、誤った商品がセンサ１２に取り付けられ、及び／又は基部１６上に配置された場合、それを知ることになる。コントローラ２０は、可聴信号及び／又は可視信号等を介してセキュリティ信号により店員に迅速に通知することができるか、又はデータを店員のリモートデバイス３０に直接送信することができる。１つの実施形態では、商品Ｍは、商品Ｍのロケーションの追跡等のために、リアルタイムでサブフォルダに情報を記憶することができる。商品Ｍのロケーションは、様々な技法（例えば、商品上のＧＰＳ）を用いて取得することができる。いくつかの実施形態では、商品Ｍは、Systems and Methods for Protecting Retail Display Merchandise from Theftと題する米国特許第８，８７８，６７３号に開示されている１つ以上の技法を用いて自身のロケーションを求めることができ、この米国特許の内容は、参照することによりその全体が本明細書の一部をなすものとする。別の実施形態では、商品Ｍは、センサ１２及び／又はコントローラ２０と通信するように構成することができ、テザー１４及び／又はアダプタケーブル３２が切断された場合、商品は、自身のロケーションの追跡を開始し、いくつかの場合、自身のロケーションをサブフォルダに記憶し、及び／又は自身のロケーションをリモートデバイス３０に通信し始めることができる。テザー１４が切断されると、コントローラ２０は、セキュリティイベントの時刻及び日付を記憶するように構成することができ、コントローラ又は商品に記憶されるレコードは、常に存在する。いくつかの場合、商品Ｍは、無線通信（例えば、Ｂｌｕｅｔｏｏｔｈ）を介してコントローラ２０及び／又はリモートデバイス３０にデータを通信するように構成することができる。
【００２２】
代替的な実施形態では、商品Ｍを、商品からの様々な情報を要求するための特定のウェブページに誘導することができる。このため、情報を記憶するためのサブフォルダを用いる代わりに、商品Ｍに、情報を抽出し、この情報を自身のメモリに記憶するか又はコントローラ２０及び／又はリモートデバイス３０に提供するように促すことができる。
【００２３】
別の実施形態では、アダプタケーブル３２の接続は、ＵＳＢタイプのコネクタ（例えば、ＵＳＢ−Ａ、マイクロ−ＵＳＢ又はＵＳＢ−Ｃ）を含むことができ、コネクタを商品Ｍと連結させることにより、センサ１２及び／又はコントローラ２０から、商品からのＵＳＢ識別子の要求を開始することができる。ＵＳＢ識別子は、商品のモデル及び／又はシリアル番号等の商品Ｍに関する様々な情報を提供することができる。いくつかの場合、ＵＳＢ識別子は、商品Ｍの製造者に関する通常の情報しか提供しない。この場合、ＵＳＢ識別子を用いて、商品をより詳細に識別するための言語プロトコルを選択することができる。例えば、ＵＳＢ識別子がＳａｍｓｕｎｇデバイスのためのものである場合、センサ１２及び／又はコントローラ２０は、Ｓａｍｓｕｎｇに固有のプロトコルを開始し、次に、商品のタイプ又はモデル等の、商品Ｍからの固有の情報を要求することができる。異なる製造者に対し異なるプロトコル及び／又は要求を用いることができる。１つの実施形態では、ＵＳＢ識別子を用いて、プラノグラムコンプライアンス、例えば、商品Ｍが小売店の店舗内の割り当てられたロケーションに位置していることを判断することができる。例えば、各商品Ｍは、初期セットアップ中に特定のロケーションに関連付けることができる一意のＵＳＢ識別子を有することができる。ＵＳＢ識別子が後に要求され、ＵＳＢ識別子が以前のロケーションに合致しない場合、小売店は商品の位置がずれていることを知ることになる。
【００２４】
上記の説明及び関連図面に提示された教示の利点を有する当業者には、本発明の多くの変更形態及び他の実施形態が容易に明らかとなるであろう。したがって、本発明は本明細書に開示される特定の実施形態に限定されず、開示される実施形態及び他の開示されていない実施形態に対する変更が、添付の特許請求の範囲内に含まれることが意図されることが理解及び認識される。
【図１】
2018511107.tif 000003
【図２】
2018511107.tif 000004
【図３】
2018511107.tif 000005
【図４】
2018511107.tif 000006
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
商品セキュリティシステムであって、
商品に取り付けられるように構成されたセンサをそれぞれ有する複数のセキュリティデバイスと、
前記商品からデータを取得するために、該商品の各々と通信するように構成された少なくとも１つのコントローラと、
を備え、
前記コントローラ、及び／又は前記セキュリティデバイスの各々は、前記商品から前記センサを取り外すのに応答してセキュリティ信号を生成するように構成される、商品セキュリティシステム。
【請求項２】
前記データは、前記商品のタイプ及び／又は電力要件を含む、請求項１に記載の商品セキュリティシステム。
【請求項３】
前記センサの各々は、該センサに取り付けられたそれぞれの商品からデータを転送するように構成される、請求項１に記載の商品セキュリティシステム。
【請求項４】
前記少なくとも１つのコントローラは、前記データを取得するために前記センサの各々と通信するように構成される、請求項３に記載の商品セキュリティシステム。
【請求項５】
前記少なくとも１つのコントローラは、前記セキュリティデバイスの各々に電力を提供するように構成される、請求項１に記載の商品セキュリティシステム。
【請求項６】
前記少なくとも１つのコントローラ、及び／又は各センサは、該センサから前記商品を取り外すのに応答して、可聴信号及び／又は視覚信号を生成するアラーム通知回路部を備える、請求項１に記載の商品セキュリティシステム。
【請求項７】
前記センサ及び該センサ上の前記商品を取り外し可能に支持するための基部を更に備える、請求項１に記載の商品セキュリティシステム。
【請求項８】
前記セキュリティデバイスの各々は、前記センサ及び前記基部を電気的に接続するテザーを更に備え、各テザーは電力信号、検知信号、及びデータ信号を送信するように構成される、請求項７に記載の商品セキュリティシステム。
【請求項９】
前記セキュリティデバイスの各々は、前記センサ及び前記商品を電気的に接続するアダプタケーブルを更に備え、各アダプタケーブルは、電力信号、検知信号、及びデータ信号を送信するように構成される、請求項８に記載の商品セキュリティシステム。
【請求項１０】
複数のコントローラを更に備え、各コントローラはそれぞれの基部と一体化される、請求項７に記載の商品セキュリティシステム。
【請求項１１】
前記少なくとも１つのコントローラは、リモートデバイスと無線で通信し、前記商品から取得された前記データを提供するように構成される、請求項１に記載の商品セキュリティシステム。
【請求項１２】
少なくとも第１のコントローラ及び第２のコントローラを更に含み、前記第１のコントローラは、前記セキュリティデバイスのうちの少なくとも１つと通信するように構成され、前記第２のコントローラは、前記商品のうちの少なくとも１つと通信するように構成される、請求項１に記載の商品セキュリティシステム。
【請求項１３】
前記少なくとも１つのコントローラは、前記商品からデータを取得するために、該商品の各々のメモリと通信するように構成される、請求項１に記載の商品セキュリティシステム。
【請求項１４】
商品を陳列し保護する方法であって、
商品に取り付けられるように構成されたセンサをそれぞれ有する複数のセキュリティデバイスと通信するステップと、
前記商品の各々からデータを取得するステップと、
前記商品から前記センサを取り外すのに応答してセキュリティ信号を生成するステップと、
を含む、方法。
【請求項１５】
無線ネットワークを介して前記データを提供するステップを更に含む、請求項１４に記載の方法。
【請求項１６】
取得するステップは、前記商品の各々のタイプ又は電力要件を取得することを含む、請求項１４に記載の方法。
【請求項１７】
リモートデバイスと無線通信して、前記商品から取得された前記データを提供するステップを更に含む、請求項１４に記載の方法。
【請求項１８】
取得するステップは、前記商品の各々におけるそれぞれのサブフォルダに記憶されたデータを取得することを含む、請求項１４に記載の方法。
【請求項１９】
取得するステップは、前記商品の各々のメモリからデータを取得することを含む、請求項１４に記載の方法。
【国際調査報告】
2018511107.tif 000007